【手続補正書】
【提出日】平成28年3月16日(2016.3.16)
【手続補正１】
【補正対象書類名】特許請求の範囲
【補正対象項目名】全文
【補正方法】変更
【補正の内容】
【特許請求の範囲】
【請求項１】
弾性波装置であって、
第１入力、第１出力、前記第１入力に接続された第１櫛形電極を有する第１インターデジタルトランスデューサ（ＩＤＴ）電極、及び前記第１出力に接続された第２櫛形電極を有する第２ＩＤＴ電極を含む第１縦結合型弾性波フィルタと、
前記第１出力に結合された第２入力、第２出力、前記第２入力に接続された第３櫛形電極を有する第３ＩＤＴ電極、及び前記第２出力に接続された第４櫛形電極を有する第４ＩＤＴ電極を含む第２縦結合型弾性波フィルタと
を含み、
前記第１ＩＤＴ電極は、第１伝播方向に伝播する第１弾性波を励起するべく構成され、
前記第２ＩＤＴ電極は、前記第１伝播方向において前記第１ＩＤＴ電極に隣接して配列されかつ前記第１弾性波を伝播させるべく構成され、
前記第３ＩＤＴ電極は、第２伝播方向に伝播する第２弾性波を励起するべく構成され、
前記第４ＩＤＴ電極は、前記第２伝播方向において前記第３ＩＤＴ電極に隣接して配列されかつ前記第２弾性波を伝播させるべく構成され、
前記第１ＩＤＴ電極及び前記第２ＩＤＴ電極は、前記第１櫛形電極及び前記第２櫛形電極の位相が同相関係となるように配列され、
前記第３ＩＤＴ電極及び前記第４ＩＤＴ電極は、前記第３櫛形電極及び前記第４櫛形電極の位相が逆相関係となるように配列される弾性波装置。
【請求項２】
前記第１櫛形電極は、前記第１伝播方向に配列された複数の第１電極指を含み、
前記第２櫛形電極は、前記第１伝播方向に配列された複数の第２電極指を含む請求項１の弾性波装置。
【請求項３】
前記第３櫛形電極は、前記第２伝播方向に配列された複数の第３電極指を含み、
前記第４櫛形電極は、前記第２伝播方向に配列された複数の第４電極指を含む請求項２の弾性波装置。
【請求項４】
前記第１ＩＤＴ電極はさらに、グランドに接続された第５櫛形電極を含み、
前記第５櫛形電極は、前記第１伝播方向に前記複数の第１電極指と交互するように配列された複数の第５電極指を有し、
前記第２ＩＤＴ電極はさらに、グランドに接続された第６櫛形電極を含み、
前記第６櫛形電極は、前記第１伝播方向に前記複数の第２電極指と交互するように配列された複数の第６電極指を有する請求項３の弾性波装置。
【請求項５】
前記複数の第１電極指の中で前記第２櫛形電極に最も近い第１電極指と、前記複数の第２電極指の中で前記第１櫛形電極に最も近い第２電極指との間において、前記複数の第５電極指及び前記複数の第６電極指からの前記第１伝播方向に配置された電極指の数が奇数である請求項４の弾性波装置。
【請求項６】
前記第３ＩＤＴ電極はさらに、グランドに接続された第７櫛形電極を含み、
前記第７櫛形電極は、前記第２伝播方向に前記複数の第３電極指と交互するように配列された複数の第７電極指を有し、
前記第４ＩＤＴ電極はさらに、グランドに接続された第８櫛形電極を含み、
前記第８櫛形電極は、前記第２伝播方向に前記複数の第４電極指と交互するように配列された複数の第８電極指を有し、
前記複数の第３電極指の中で前記第４櫛形電極に最も近い第３電極指と、前記複数の第４電極指の中で前記第３櫛形電極に最も近い第４電極指との間において、前記複数の第７電極指及び前記複数の第８電極指からの前記第２伝播方向に配置された電極指の数がゼロ又は偶数のいずれかである請求項５の弾性波装置。
【請求項７】
前記第１縦結合型弾性波フィルタはさらに、前記第１出力に接続された第５櫛形電極を有する第５ＩＤＴ電極を含み、
前記第５ＩＤＴ電極は、前記第１ＩＤＴ電極が前記第２ＩＤＴ電極と前記第５ＩＤＴ電極との間に存在するように、前記第１伝播方向において前記第１ＩＤＴ電極を介して前記第２ＩＤＴ電極に対向するように配列され、
前記第５ＩＤＴ電極は、前記第１弾性波を伝播させるべく構成される請求項３の弾性波装置。
【請求項８】
前記第２縦結合型弾性波フィルタはさらに、前記第２入力に接続された第６櫛形電極を有する第６ＩＤＴ電極を含み、
前記第６ＩＤＴ電極は、前記第４ＩＤＴ電極が前記第３ＩＤＴ電極と前記第６ＩＤＴ電極との間に存在するように、前記第２伝播方向において前記第４ＩＤＴ電極を介して前記第３ＩＤＴ電極に対向するように配列され、
前記第６ＩＤＴ電極は、前記第２弾性波を伝播させるべく構成される請求項７の弾性波装置。
【請求項９】
前記第５櫛形電極は、前記第１出力に接続されかつ前記第１伝播方向に配列された複数の第５電極指を含み、
前記第６櫛形電極は、前記第２入力に接続されかつ前記第２伝播方向に配列された複数の第６電極指を含み、
前記第１ＩＤＴ電極はさらに、グランドに接続された第７櫛形電極を含み、
前記第７櫛形電極は、前記第１伝播方向に前記複数の第１電極指と交互するように配列された複数の第７電極指を有し、
前記第２ＩＤＴ電極はさらに、グランドに接続された第８櫛形電極を含み、
前記第８櫛形電極は、前記第１伝播方向に前記第２電極指と交互するように配列された複数の第８電極指を有する請求項８の弾性波装置。
【請求項１０】
前記複数の第１電極指の中で前記第２櫛形電極に最も近い第１電極指と、前記複数の第２電極指の中で前記第１櫛形電極に最も近い第２電極指との間において、前記複数の第７電極指及び前記複数の第８電極指からの前記第１伝播方向に配置された電極指の数が奇数である請求項９の弾性波装置。
【請求項１１】
前記第３ＩＤＴ電極はさらに、グランドに接続された第９櫛形電極を含み、
前記第９櫛形電極は、前記第２伝播方向に前記複数の第３電極指と交互するように配列された複数の第９電極指を含み、
前記第４ＩＤＴ電極はさらに、グランドに接続された第１０櫛形電極を含み、
前記第１０櫛形電極は、前記第２伝播方向に前記複数の第４電極指と交互するように配列された複数の第１０電極指を含む請求項１０の弾性波装置。
【請求項１２】
前記複数の第３電極指の中で前記第４櫛形電極に最も近い第３電極指と、前記複数の第４電極指の中で前記第３櫛形電極に最も近い第４電極指との間において、前記複数の第９電極指及び前記複数の第１０電極指からの前記第２伝播方向に配置された電極指の数がゼロ又は偶数のいずれかである請求項１１の弾性波装置。
【請求項１３】
前記第５ＩＤＴ電極はさらに、グランドに接続された第１１櫛形電極を含み、
前記第１１櫛形電極は、前記第１伝播方向に前記複数の第５電極指と交互するように配列された複数の第１１電極指を含み、
前記複数の第１電極指の中で前記第５櫛形電極に最も近い第１電極指と、前記複数の第５電極指の中で前記第１櫛形電極に最も近い第５電極指との間において、前記複数の第７電極指及び前記複数の第１１電極指からの前記第１伝播方向に配置された電極指の数が奇数である請求項１２の弾性波装置。
【請求項１４】
前記第６ＩＤＴ電極はさらに、グランドに接続された第１２櫛形電極を含み、
前記第１２櫛形電極は、前記第２伝播方向に前記複数の第６電極指と交互するように配列された複数の第１２電極指を含み、
前記複数の第４電極指の中で前記第６櫛形電極に最も近い第４電極指と、前記複数の第６電極指の中で前記第４櫛形電極に最も近い第６電極指との間において、前記複数の第１０電極指及び前記複数の第１２電極指からの前記第２伝播方向に配置された電極指の数がゼロ又は偶数のいずれかである請求項１２の弾性波装置。
【請求項１５】
前記第１ＩＤＴ電極及び前記第５ＩＤＴ電極は、前記第１櫛形電極及び前記第５櫛形電極の位相が同相関係となるように配列され、
前記第４ＩＤＴ電極及び前記第６ＩＤＴ電極は、前記第４櫛形電極及び前記第６櫛形電極の位相が逆相関係となるように配列される請求項８の弾性波装置。
【請求項１６】
弾性波装置であって、
第１入力、第１出力、前記第１入力に接続されかつ第１伝播方向に伝播する第１弾性波を励起するべく構成された第１インターデジタルトランスデューサ（ＩＤＴ）電極、及び前記第１出力に接続された第２ＩＤＴ電極を含む第１縦結合型弾性波フィルタと、
前記第１出力に結合された第２入力、第２出力、前記第２入力に接続されかつ第２伝播方向に伝播する第２弾性波を励起するべく構成された第３ＩＤＴ電極、前記第２出力に接続された第４ＩＤＴ電極を含む第２縦結合型弾性波フィルタと
を含み、
前記第２ＩＤＴ電極は、前記第１伝播方向において前記第１ＩＤＴ電極に隣接して配列されかつ前記第１弾性波を伝播させるべく構成され、
前記第１ＩＤＴ電極は、前記第１伝播方向に配列された複数の第１電極指を有して前記第１入力に接続された第１櫛形電極、及び前記第１伝播方向に前記複数の第１電極指と交互するように配列された複数の第２電極指を有してグランドに接続された第２櫛形電極を含み、
前記第２ＩＤＴ電極は、前記第１伝播方向に配列された複数の第３電極指を有して前記第１出力に接続された第３櫛形電極、及び前記第１伝播方向に前記複数の第３電極指と交互するように配列された複数の第４電極指を有してグランドに接続された第４櫛形電極を含み、
前記複数の第１電極指の中で前記第３櫛形電極に最も近い第１電極指と、前記複数の第３電極指の中で前記第１櫛形電極に最も近い第３電極指との間において、前記複数の第２電極指及び前記複数の第４電極指からの前記第１伝播方向に配置された電極指の数が奇数であり、
前記第４ＩＤＴ電極は、前記第２伝播方向において前記第３ＩＤＴ電極に隣接して配置され、かつ、前記第２弾性波を伝播させるべく構成され、
前記第３ＩＤＴ電極は、前記第２伝播方向に配列された複数の第５電極指を有して前記第２入力に接続された第５櫛形電極、及び前記第２伝播方向に前記複数の第５電極指と交互するように配列された複数の第６電極指を有してグランドに接続された第６櫛形電極を含み、
前記第４ＩＤＴ電極は、前記第２伝播方向に配列された複数の第７電極指を有して前記第２出力に接続された第７櫛形電極、及び前記第２伝播方向に前記複数の第７電極指と交互するように配列された複数の第８電極指を有してグランドに接続された第８櫛形電極を含み、
前記第５電極指の中で前記第７櫛形電極に最も近い第５電極指と、前記複数の第７電極指の中で前記第５櫛形電極に最も近い第７電極指との間において、前記複数の第６電極指及び前記複数の第８電極指からの前記第２伝播方向に配置された電極指の数がゼロ又は偶数のいずれかである弾性波装置。
【請求項１７】
前記第１縦結合型弾性波フィルタはさらに、前記第１出力に接続された第５ＩＤＴ電極を含み、
前記第５ＩＤＴ電極は、前記第１ＩＤＴ電極に隣接して配列され、前記第１ＩＤＴ電極を介して前記第２ＩＤＴ電極に対向するように配列され、かつ、前記第１弾性波を伝播させるべく構成され、
前記第２縦結合型弾性波フィルタはさらに、前記第２入力に接続された第６ＩＤＴ電極を含み、
前記第６ＩＤＴ電極は、前記第４ＩＤＴ電極に隣接して配列され、前記第４ＩＤＴ電極を介して前記第３ＩＤＴ電極に対向するように配置され、かつ、前記第２弾性波を伝播するべく構成される請求項１６の弾性波装置。
【請求項１８】
前記第５ＩＤＴ電極は、前記第１伝播方向に配列された複数の第９電極指を有して前記第１出力に接続された第９櫛形電極、及び前記第１伝播方向に前記複数の第９電極指と交互するように配列された複数の第１０電極指を有してグランドに接続された第１０櫛形電極を含み、
前記複数の第１電極指の中で前記第９櫛形電極に最も近い第１電極指と、前記複数の第９電極指の中で前記第１櫛形電極に最も近い第９電極指との間において、前記複数の第２電極指及び前記複数の第１０電極指からの前記第１伝播方向に配置された電極指の数が奇数である請求項１７の弾性波装置。
【請求項１９】
前記第６ＩＤＴ電極は、前記第２伝播方向に配列された複数の第１１電極指を有して前記第２入力に接続された第１１櫛形電極、及び前記第２伝播方向に前記複数の第１１電極指と交互するように配列された複数の第１２電極指を有してグランドに接続された第１２櫛形電極を含み、
前記複数の第７電極指の中で前記第１１櫛形電極に最も近い第７電極指と、前記複数の第１１電極指の中で前記第７櫛形電極に最も近い第１１電極指との間において、前記複数の第８電極指及び前記複数の第１２電極指からの前記第１伝播方向に配置された電極指の数がゼロ又は偶数である請求項１７の弾性波装置。
【請求項２０】
入力及び出力を有する一端子対共振器をさらに含み、
前記一端子対共振器の入力が前記第１縦結合型弾性波フィルタの第１出力に接続され、
前記一端子対共振器の出力が前記第２縦結合型弾性波フィルタの第２入力に接続される請求項１６から１９のいずれか一項の弾性波装置。
【請求項２１】
弾性波装置であって、
第１入力、第１出力、それぞれが前記第１入力に接続された第１櫛形電極を有する複数の第１インターデジタルトランスデューサ（ＩＤＴ）電極、及び、前記第１出力に接続された第２櫛形電極をそれぞれが有する複数の第２ＩＤＴ電極を含む第１縦結合型弾性波フィルタと、
前記第１出力に結合された第２入力、第２出力、前記第２入力に接続された第３櫛形電極をそれぞれが有する複数の第３ＩＤＴ電極、及び、前記第２出力に接続された第４櫛形電極をそれぞれが有する複数の第４ＩＤＴ電極を含む第２縦結合型弾性波フィルタと
を含み、
前記第１縦結合型弾性波フィルタにおいて、前記第１櫛形電極と前記第２櫛形電極とが同相関係で隣接配置され、
前記第２縦結合型弾性波フィルタにおいて、前記第３櫛形電極と前記第４櫛形電極とが逆相関係で隣接配置される弾性波装置。
【請求項２２】
弾性波装置であって、
第１入力、第１出力、前記第１入力に接続された第１櫛形電極をそれぞれが有する複数の第１インターデジタルトランスデューサ（ＩＤＴ）電極、及び、前記第１出力に接続された第２櫛形電極をそれぞれが有する複数の第２ＩＤＴ電極を含む第１縦結合型弾性波フィルタと、
前記第１出力に結合された第２入力、第２出力、前記第２入力に接続された第３櫛形電極をそれぞれが有する複数の第３ＩＤＴ電極、及び、前記第２出力に接続された第４櫛形電極をそれぞれが有する複数の第４ＩＤＴ電極を含む第２縦結合型弾性波フィルタと
を含み、
前記第１縦結合型弾性波フィルタにおいて、隣接配置された前記第１櫛形電極と前記第２櫛形電極との間には、グランドに接続された奇数本の第１電極指が配置され、
前記第２縦結合型弾性波フィルタにおいて、隣接配置された前記第３櫛形電極と前記第４櫛形電極との間には、グランドに接続されたゼロ又は偶数本の第２電極指が配置される弾性波装置。
【請求項２３】
前記第１縦結合型弾性波フィルタと前記第２縦結合型弾性波フィルタとが一端子対共振器を介して接続される請求項２１又は２２の弾性波装置。
【請求項２４】
アンテナ共用器であって、
第１周波数帯の信号を通過させる第１フィルタと、
前記第１周波数帯より高い第２周波数帯の信号を通過させる第２フィルタと
を含み、
前記第１フィルタは請求項１から２３のいずれか一項の弾性波装置を含むアンテナ共用器。
【請求項２５】
入力端子と出力端子をさらに含み、
前記第１フィルタが前記出力端子と前記入力端子との間に接続され、
前記第２フィルタが前記入力端子と前記第１フィルタとの間に接続される請求項２４に記載のアンテナ共用器。